(57)【要約】【課題】  マスカラ塗布に際して煩雑な作業を少なくし、睫毛全体に平均的に塗布することができる化粧料塗布具を提供することを目的とする。【解決手段】  ブラシ毛１０１ｂが芯部材１０１ａに設けられた塗布部１０１と、芯部材１０１ａと連結した軸部１０２と、軸部１０２と連結した保持部とを備え、芯部材１０１ａが弧状とすることで塗布部１０１を弧状に形成し、ブラシ毛１０１ｂが芯部材１０１ａの長手方向に対して曲面からなる少なくとも２つ以上の凸部１０１ｃを有し、凸部１０１ｃが芯部材１０１ａを軸として対称に配置されている。【選択図】  図２
2009082554.tif 000002
【特許請求の範囲】
【請求項１】
ブラシ毛が芯部材に設けられた塗布部と該芯部材と連結した軸部と該軸部と連結した保持部とを備え該塗布部に所定量の化粧料を保持させて塗布するための化粧料塗布具であって、
前記芯部材は、弧状に形成されており、
前記塗布部は、前記芯部材の長手方向に対して少なくとも２つ以上設けられていることを特徴とする化粧料塗布具。
【請求項２】
前記塗布部は、円弧または楕円弧または放物線の一部である曲面を有することを特徴とする請求項１に記載の化粧料塗布具。
【請求項３】
前記塗布部は、前記芯部材の長手方向に対して略球形状または略楕円球形状であることを特徴とする請求項１または２に記載の化粧料塗布具。
【発明の詳細な説明】
【技術分野】
【０００１】
本発明は、睫毛にマスカラを塗布するための化粧料塗布用具に関し、特に、睫毛へのマスカラの塗布性を向上させる化粧料塗布用具に関する。
【背景技術】
【０００２】
従来からのマスカラは、粘液質に黒色系などの顔料を混ぜたもので、睫毛の化粧料として汎用されており、その塗布具合の良し悪しによって、目の魅力や印象を大きく左右させ、目を美しく魅力的に見せることができる。
【０００３】
そこで、睫毛にマスカラを塗布するための道具として、２本の金属線間にブラシ材を金属線に対して交差状に挟み、金属線をらせん状に捻ることによりブラシ材を巻き輪間に固定させた形状の塗布用ブラシが広く使用されている。このような塗布用ブラシでは、一般に、金属線から放射状に延びる各ブラシ材の長さが同じ長さとなっている。
【０００４】
このような従来の塗布用ブラシでは、マスカラを収容した容器に塗布用ブラシを挿入してマスカラに浸し、取り出して容器の口部分で拭取ることにより、塗布用ブラシに余分に付着したマスカラを除去することができるものの、その際に睫毛に塗布するための分のマスカラもあわせて除去されてしまったり、マスカラが塗布ブラシ全体に均一に付着しないため、塗布する際に睫毛に均一に付着されず、まだらになったり、何度も液継ぎをしなければならないとい問題があった。
【０００５】
このような問題を解決するために、特許文献１で提案されているように、マスカラを睫毛に対し適度な量で塗布することができ、睫毛に付着しすぎたマスカラを整えることができ、しかもマスカラを容易に補給することができる化粧料塗布具および化粧料塗布セットが提案されている。
【０００６】
図３は、この特許文献１に開示された化粧料塗布具を示す図である。図３に示すように、この化粧料塗布具１０は、ブラシ毛１１が軸部材１２に設けられた塗布部１３と、芯線１２に連結された保持部１５とから構成され、芯線１２に設けられたブラシ毛１１が軸の長手方向に対して曲面からなる少なくとも２つ以上の凸部１４を有しており、その凸部１４が、軸部材１２を軸として対称に配置する構成となっている。
【０００７】
上記構成によれば、各凸部１４の間に充分な量のマスカラが保持されるため、液継ぎ操作を何度もする必要がなく、化粧料塗布具１０を睫毛の毛元から毛先にかけて動かすだけで凸部１４間に保持されているマスカラを安定的に睫毛に供給することができる。
【特許文献１】特開２００５−３３４０９４号公報
【発明の開示】
【発明が解決しようとする課題】
【０００８】
このように、特許文献１に開示された化粧料塗布具によれば、各凸部間に充分な量のマスカラが保持されるため、液継ぎ操作を何度もする必要がなく、マスカラを安定的に睫毛に供給することができるものの、以下のような問題があった。
即ち、本来、瞼は眼球に沿って球面状にカーブし、この球面状にカーブした瞼に睫毛が生えるものであるが、特許文献１で提案されている化粧料塗布具では、塗布部１３の構造が直線状であることから、カーブした睫毛に沿ってマスカラを塗布するには、睫毛の左端部と中央部と右端部それぞれにブラシ毛１１を当てて上方に持ち上げる手順を複数回繰り返さなければならず塗布作業が煩雑となるという問題があった。このため、睫毛に平均的にマスカラを塗布したり、カールさせたりすることに時間がかかり、使い勝手がよくないという問題があった。
【０００９】
従って、本発明の目的は、マスカラ塗布に係る煩雑な作業を少なくし、睫毛全体に平均的にマスカラを塗布することができる化粧料塗布具を提供することにある。
【課題を解決するための手段】
【００１０】
本発明は、上記の目的を達成するために、ブラシ毛が芯部材に設けられた塗布部と該芯部材と連結した軸部と該軸部と連結した保持部とを備え該塗布部に所定量の化粧料を保持させて塗布するための化粧料塗布具であって、前記芯部材は、弧状に形成されており、前記塗布部は、前記芯部材の長手方向に対して少なくとも２つ以上設けられていることを特徴とする化粧料塗布具を提供するものである。
【００１１】
以上の構成において、前記塗布部は、円弧または楕円弧または放物線の一部である曲面を有することが望ましい。
【００１２】
また、前記塗布部は、前記芯部材の長手方向に対して略球形状または略楕円球形状であることが望ましい。
【発明の効果】
【００１３】
本発明によれば、芯部材を弧状に形成し、塗布部を芯部材の長手方向に対して少なくとも２つ以上設けるようにしたため、カーブしている瞼に生えている睫毛全体に塗布部を確実に当てることができる。このため、少ない回数で適度な量のマスカラを平均的に塗布することができる。また、複数の塗布部間にマスカラが保持されるため、何度も塗布部へマスカラを補給するといった煩雑な作業を解消することができる。
【発明を実施するための最良の形態】
【００１４】
以下、図面を参照しながら、本発明の実施の形態に係る化粧料塗布具について詳細に説明する。
図１は、本実施の形態に係る化粧料塗布具の外観図であり、図２は、その構成を示す断面図である。
図１に示すように、この化粧料塗布具１００は、睫毛にマスカラを塗布するための塗布部１０１と、該塗布部１０１を保持するための軸部１０２と、該軸部１０２に連結され使用者が睫毛にマスカラを塗布する際に保持する保持部１０３と、から構成されている。
【００１５】
以上の構成において、塗布部１０１は、睫毛にマスカラを塗布するとともに、付けすぎたマスカラやその塊であるダマを取り除くとともに、マスカラを睫毛になじませる作用を有し、特にマスカラの仕上がりを綺麗にするコーミングに用いられる。この塗布部１０１は、図２に示すように、弧状の形状をしている。この弧状の形状は、芯線１０１ａが軸部１０２との連結部分から塗布部１０１の先端に向かって形成されている。この弧状の形状は、眼球の球面状にカーブしている瞼の形状に沿った大きさの形状である。したがって、睫毛にマスカラを塗布する際に、睫毛の根元に弧状の塗布部１０１がフィットするようになっている。
【００１６】
この塗布部１０１は、樹脂、金属あるいは金属製の素材から成る芯線１０１ａにブラシ毛１０１ｂを螺旋状に巻き付けて固定したものである。ここで、芯線１０１ａの素材は、樹脂、金属あるいは金属製の素材に限られることはなく、その他の各種素材を使用することができるが、一般的には棒状のものが利用される。また、その太さも各種のものを採用することができ、特に限定はされない。
【００１７】
また、ブラシ毛１０１ｂの素材は、マスカラの仕上がりや使用するマスカラのタイプ別に様々な素材や、柔らかさのものを採用することができる。その材質としては、ナイロンなど任意の素材を用いることができ、断面が中実でも中空でもよい。例えば、毛質が柔らかくブラシ毛１０１ｂの量が多ければ、睫毛にブラシ毛１０１ｂがよく絡み、繊細な仕上がりになる。また、マスカラを重ね付けしてボリュームを出す場合には、毛質が硬くブラシ毛１０１ｂの量が少ないものが一般的には好適である。
【００１８】
このブラシ毛１０１ｂは、芯線１０１ａから外側へ向かって放射状に先端を向けるようにして設けられている。そして、このブラシ毛１０１ｂを適宜の長さにカットすることにより、複数の凸部１０１ｃを形成する。そのカットの仕方としては、芯線１０１ａの長手方向に対して円弧または楕円弧または放物線の一部である曲面を含む少なくとも２つ以上の凸部１０１ｃを形成するようにカットする。これにより、塗布部１０１は、芯線１０１ａの長手方向に対して曲面からなる少なくとも２つ以上の凸部１０１ｃを有し、凸部１０１ｃは、芯線１０１ａを軸として対称に配置されている。
なお、凸部１０１ｃの数は特に限定されないが、好ましくは少なくとも３つの略球形または略楕円球形の凸部１０１ｃが、芯線１０１ａに設けられている。
【００１９】
軸部１０２は、図２に示すように、一方の端部に芯線１０１ａの一部が挿入されており芯線１０１ａを保持している。また、他端の一部が保持部１０３の内部に挿入されていることで、保持部１０３と連設している。
【００２０】
保持部１０３は、内側に螺合部１０３ａが設けられており、マスカラが収容されている収容容器（図示せず）と螺合するようになっている。この保持部１０３は、使用者が保持しやすいように、円筒や多角形の形状で収容容器の形状にあわせて形成されるものであり、その太さや材質は特に限定されない。
【００２１】
次に、化粧料塗布具１００の作用について説明する。
化粧料塗布具１００をマスカラが収容されている収容容器に挿入して塗布部１０１をマスカラに浸し、収容容器から抜き出す。このとき、塗布部１０１が収容容器の口においてブラシ毛１０１ｂがしごかれた際に、各凸部１０１ｃに付着しすぎたマスカラはしごかれて適度な量にされるとともに、各凸部１０１ｃの間には、表面張力によって充分な量のマスカラが保持される。
【００２２】
そして、眼球に沿って球面状にカーブした瞼に生えている睫毛に対して、塗布部１０１によってマスカラを塗布する。この際、塗布部１０１形状が弧状であり、瞼に沿って生えている睫毛も弧状であるため、睫毛の全体の根元に平均的に、かつ確実に当てることができる。このため、睫毛全体にマスカラを平均的に適度な量で塗布することができる。また、各凸部１０１ｃの間には、表面張力によって充分な量のマスカラが保持されているために、マスカラのボリュームを出したいという要求にも応えることができる。さらに、睫毛に付着しすぎたマスカラをすくいとったり、とかしたりする場合にも、塗布部１０１が弧状となっているため、睫毛全体を平均的に整えることができる。
【００２３】
また、各凸部１０１ｃの間にマスカラが保持されているので、何度も収容容器に入れてマスカラを塗布部１０１に補充する必要も無く、化粧料塗布具を動かすだけで各凸部１０１ｃに保持されているマスカラを睫毛に補給することができるため、煩雑な液継ぎ操作を必要としない。
【００２４】
以上のように、本実施の形態に係る化粧料塗布具は、弧状の形状をした塗布部をカーブした睫毛の形状に確実に当てることができるため、少ない回数で、適度な量のマスカラを睫毛全体に平均的に塗布することができる。そのため、睫毛をカールアップさせるのが容易で、睫毛１本１本にマスカラを塗布することができ、マスカラの効果の持続を長時間にわたって維持することができる。さらに、凸部が複数設けられていることで、付けすぎたマスカラを拭き取ったりする必要はない。また、凸部の間に充分な量のマスカラが保持されているため、マスカラを収容容器から頻繁に補給することなく、睫毛に供給することができる。
【図面の簡単な説明】
【００２５】
【図１】本実施の形態に係る化粧料塗布具の外観図である。
【図２】図１に示す化粧料塗布具の断面を示す図である。
【図３】従来の化粧料塗布具の構成を示した図である。
【符号の説明】
【００２６】
１０、１００    化粧料塗布具
１３、１０１    塗布部
１２、１０１ａ    芯線
１１、１０１ｂ    ブラシ毛
１４、１０１ｃ    凸部
１０２    軸部
１０３    保持部
【図１】
2009082554.tif 000003
【図２】
2009082554.tif 000004
【図３】
2009082554.tif 000005